(57)【要約】【課題】  システム利用者の所有している名簿住所情報・名簿関連情報を元に営業活動等戸別訪問を行う際に必要な情報の処理及び作業時間を短縮するために必要な情報の提供を行うためのシステム。【解決手段】  コンピュータシステムにより名簿住所情報・名簿関連情報の供給方法において、システム利用者の所有している名簿住所情報・名簿関連情報を元に営業活動等戸別訪問を行う際の効率を短縮するために必要な情報の提供を行う。地図情報と名簿住所情報と名簿関連情報をそれぞれあらかじめ記録しておき、当該地図上の名簿住所情報の座標に相当する地点に名簿関連情報のなかから条件に該当する情報のみを表示して、インターネットを利用し端末に対し出力する。【選択図】図１
2006350609.tif 000002
【特許請求の範囲】
【請求項１】
コンピュータシステムにより名簿住所情報・名簿関連情報の供給方法において、システム利用者受給者に対し、予め記憶された地図情報に基づく地図を表示するとともに、名簿住所情報・名簿関連情報の地図上の座標に相当する場所へ関連情報を表示させる方法。
【発明の詳細な説明】
【技術分野】
【０００１】
本発明は、コンピュータシステムを用いた名簿住所・名簿関連情報の供給方法において名簿住所情報・名簿関連情報をほぼリアルタイムに掲載、更新、削除することが可能な名簿住所情報・名簿関連情報の登録方法および供給方法に関する。
【背景技術】
【０００２】
従来より、印刷物（住宅地図その他地図）等を用いて、地図上に名簿住所情報・名簿関連情報を掲載し、営業活動等戸別訪問を行う際の資料作成を行ってきたことは知られている。
【０００３】
しかしながら、印刷物を用いて資料作成を行なう方法では、名簿住所情報・名簿関連情報を作成する際所有する名簿によっては非常に手間であり、大変時間のかかる作業であった。また、名簿関連情報において、条件ごとに絞り込んで表示、非表示を行うことは不可能であった。
【発明の開示】
【発明が解決しようとする課題】
【０００４】
まず、本発明の実施形態の説明をする前に、本願発明の位置付けを説明する。名簿住所情報とは、システム利用者が所有する営業活動等戸別訪問を目的とした氏名および住所の情報が記載している電磁的に記録された情報群を指す。名簿関連情報、とはシステム利用者が所有する営業活動等戸別訪問を目的とした名簿住所に関連する氏名および住所以外の情報が記載している電磁的に記録された情報群を指す。
【０００５】
営業活動等戸別訪問とは各住宅へ個別に訪問を行う行為そのものを指し、必ずしも物品販売を目的とした行動を目的とするものではない。
【０００６】
本発明は、上述した問題に鑑みてなされたもので、目的を達成するために必要な資料作成の時間を短くし、さらに、名簿関連情報において、条件に合致する情報のみを表示させ、より高度な資料作成を提供する。
【課題を解決するための手段】
【０００７】
全体構成以下、本発明における一実施形態について図面を参照して説明する。図１は、本実施形態の構成を示すブロック図である。この図において、符号Ａはサーバであり、経路制御装置、電話回線を経由してインターネットに接続されている。符号０１、０２、…は各種の端末であり、サーバＡと同様にしてインターネットに接続される。ここで、端末０１、０２、…は、それぞれモニタおよびプリンタ等の表示部とともに、キーボード、マウス等ポインティングデバイスの入力部を有する。
【０００８】
次に、サーバＡの詳細構成について説明する図２は、サーバＡの構成を示すブロック図である。この図において、制御手段とは、処理装置、主記憶装置、補助記憶装置等で構成され、各部の制御や、データの転送、種々の演算、データの一時的な格納等を行なう。入力手段とは、インターネットを介して接続された端末から入力されたデータを制御する。出力手段とは、端末に出力されるデータを制御し、インターネット介して各端末へ送信する。地図情報、住所名簿情報、関連名簿情報、プログラムはいずれも記憶手段であり、それぞれ以下のファイルが格納、記憶されている。また、住所名簿情報と関連名簿情報は同一名簿ＩＤでそれぞれ関連情報として保存されている
まず、記憶手段プログラムにはメインプログラム記憶されている。かかるメインプログラムは、制御手段に用いられるものであり、今回の目的を達成するために必要なプログラムの一切が記憶されている。地図情報には地図情報が記憶されている。地図ファイルは数層の縮尺ごとに階層構造で区分された地図情報である。
住所名簿情報には名簿ＩＤ、氏名、住所、およびその住所に該当する経度、緯度の情報が記録されている。関連名簿情報には、名簿ＩＤ、住所名簿情報の名簿ＩＤに参照される該当者への最終訪問日時、住所名簿情報の名簿ＩＤに参照される該当者の所属するグループ、その他、目的である営業活動等戸別訪問を行う際に有効とされる住所名簿情報に関連することができる情報が記録されている。地図情報と名簿住所情報と名簿関連情報をそれぞれあらかじめ記録しておき、当該地図上の名簿住所情報の座標に相当する地点に名簿関連情報を表示して、端末に対し出力する。
【発明の効果】
【０００９】
以上説明したように、本発明により、ステム利用者の所有している名簿住所情報・名簿関連情報を元に営業活動等戸別訪問を行う際の必要な情報を作成するための時間を短縮し、かつ、非常に効果的な情報を取得することが可能となる。 
【発明を実施するための最良の形態】
【００１０】
なお、上述した実施形態にあっては、サーバＡと、端末０１、０２、…とがインターネットを介して接続された構成としたが、本願においては、両者の接続形態については問わない。また、実施形態にあっては、サーバＡと接続される端末を端末０１としたが、端末０１以外であっても良い。また、このプログラムはシステム利用者が複数存在し、同一システムで運用する場合は、システム利用者ごとに住所名簿情報と関連名簿情報についてそれぞれ専用の仮想領域を用いて独立して運用される
【実施例】
【００１１】
本実施形態の動作について説明する。ここで、端末０１、０２、…は、それぞれサーバＡと接続されて通信を行ない、いずれの端末としても機能するが、説明便宜上、サーバＡには端末０１が接続されたとして、以下説明を行なう。
【００１２】
端末０１がサーバＡにインターネットを介して接続し、端末０１より任意の場所の地図上における営業活動等戸別訪問を行う際の効率を短縮するために必要な情報の提供を求める入力手段を介した制御を行うとサーバは地図情報より、該当する地域の地図情報を取り出し、その地図情報上に該当する住所名簿情報上の座標を元に、表示される地域の住所名簿情報に記録された名簿ＩＤに参照される関連名簿情報の内容を端末０１から入力手段を介した制御情報で該当する項目を住所名簿情報上の経度緯度情報に記録されている地図上の該当座標に図３のように表示する。
【産業上の利用可能性】
【００１３】
このシステムを利用すると、従来戸別訪問を行って営業活動を展開するような保険業を始めとした訪問販売業はもとより、訪問介護・医療・政治活動などの分野においても、１件１件訪問を行うでの訪問戦略において分析を行うために必要な情報を速く、詳細に得ることが期待できる。
【図面の簡単な説明】
【００１４】
【図１】本発明における実施形態の構成を示すイメージ図である。
【図２】同実施形態におけるサーバの構成を示すブロック図である。
【図３】同実施形態における出力イメージ図である。
【符号の説明】
【００１５】
端末０１  インターネットに接続された電子計算機
端末０２  インターネットに接続された電子計算機
端末０３  インターネットに接続された電子計算機
端末０４  インターネットに接続された電子計算機
端末０５  インターネットに接続された電子計算機
Ａサーバ  インターネットに接続され、端末と接続される電子計算機
【図１】
2006350609.tif 000003
【図２】
2006350609.tif 000004
【図３】
2006350609.tif 000005